(57)【要約】【課題】  調理時にのみ調理台上に設置され、不使用時は調理台に収納することにより、不使用時の視界を確保し、開放的なキッチンとすると共に、構成も簡単で清掃もし易く、製作も容易でコストも安価なレンジフードとする。【解決手段】  調理台１にレンジ３を設けると共に、レンジ３の後方で調理台１上に、調理台１の下方に設けた吸煙部に連通し、吸引作用を有する吸煙口４を設ける。吸煙口４に設置されレンジ３の後方からレンジ３の上方を覆うレンジフードである。レンジフード本体１２を可撓性材で板状に形成する。レンジフード本体１２をレンジ３の上方へ引き出し可能に調理台１に収納する。レンジフード本体１２の上部に錘１３を設け、レンジフード本体１２の引き出し時に、レンジ３の後方からレンジ３の上方を覆うように撓ませる。レンジフード本体１２の上部に取っ手１４を設ける。レンジフード本体１２の下部の中央部に上下方向に数個の孔１５をあけ、調理台１上に設けた係止ピン１８を孔１５に貫通し、レンジフード本体１２を吸煙口４に固定する。【選択図】  図１
2005030728.tif 000002
【特許請求の範囲】
【請求項１】
調理台にレンジが設けられ、このレンジの後方で調理台上に、調理台の下方に設けた吸煙部に連通し、吸引作用を有する吸煙口が設けられ、この吸煙口又は吸煙口付近に設置されレンジの後方からレンジの上方を覆うレンジフードであって、このレンジフードは可撓性材で板状のレンジフード本体が形成され、このレンジフード本体がレンジの後方からレンジの上方を覆うように撓むことを特徴とするレンジフード。
【請求項２】
レンジフード本体が調理台にレンジの上方へ引き出し可能に収納されることを特徴とする請求項１記載のレンジ。
【請求項３】
レンジフード本体の上部に錘が設けられていることを特徴とする請求項１又は２記載のレンジフード。
【請求項４】
レンジフード本体の引き出し時に、レンジフード本体が係止手段により調理台上に固定されることを特徴とする請求項２又は３記載のレンジフード。
【請求項５】
レンジフード本体は引き出し調節可能に設けられていることを特徴とする請求項２から４のいずれかに記載のレンジフード。
【請求項６】
レンジフード本体の上部に取っ手が設けられていることを特徴とする請求項２から５のいずれかに記載のレンジフード。
【発明の詳細な説明】
【技術分野】
【０００１】
本発明は、調理台上に設置され、調理台のレンジから立ち昇る排煙が周囲に拡散しないように吸煙口に誘導し、吸引するためのレンジフードに関するものである。
【背景技術】
【０００２】
キッチンでは調理台のレンジから立ち昇る排煙を吸引し、外部へ誘導し排気するため、レンジフードが設置されている。
このレンジフードは、レンジの上方から設置されるタイプのもの、又は調理台上に設置されるタイプのものがあるが、何れの場合も常設されているものである。
【０００３】
調理台上に設置されるタイプのレンジフードでは、アイランドキッチンでは視界が遮られ邪魔になるものである。
そこで、フードを透明なガラス製としたレンジフードが提案されている。しかし、フードを透明としても、フードを保持する支柱も目障りとなるものである。
又、壁付キッチンの場合では、レンジフード部分には吊戸棚が取り付けられない問題点を有している。
又、レンジフードが調理台上に固設されていると、清掃の作業性も悪かったのである。  更に、レンジフードは構成が複雑であると、清掃が面倒でかつ製作コストも高くつくのである。
【特許文献１】特開平５ー１５４２２号公報
【発明の開示】
【発明が解決しようとする課題】
【０００４】
解決しようとする問題点は、調理台上に設置されるレンジフードが常設である点である。
そこで、調理時にのみ調理台上に設置され、不使用時は調理台に収納することにより不使用時の視界を確保し、開放的なキッチンとすると共に、構成も簡単で清掃もし易く、製作も容易で、コストも安価なレンジフードを提供しようとするものである。
【課題を解決するための手段】
【０００５】
上記課題を解決するため請求項１記載の本発明レンジフードは、調理台にレンジが設けられ、このレンジの後方で調理台上に、調理台の下方に設けた吸煙部に連通し、吸引作用を有する吸煙口が設けられ、この吸煙口又は吸煙口付近に設置されレンジの後方からレンジの上方を覆うレンジフードであって、このレンジフードは可撓性材で板状のレンジフード本体が形成され、このレンジフード本体がレンジの後方からレンジの上方を覆うように撓むことを特徴とするものである。
【０００６】
このような構成とすることにより、レンジフード本体は可撓性材で板状に形成されているため、自ずと撓んで湾曲し、レンジの後方からレンジの上方を覆う。これにより、立ち昇った排煙は湾曲形状に誘導され、吸煙口に吸引される。
又、レンジフード本体は一枚板でシンプルな構成のため、清掃が容易であると共に製作も容易で、コストも安価となる。
【０００７】
次に、請求項２記載の本発明レンジフードは、請求項１記載のレンジフードにおいて、レンジフード本体が調理台にレンジの上方へ引き出し可能に収納されていることを特徴とするものである。
【０００８】
このような構成とすることにより、調理時にのみレンジフード本体をレンジの上方へ引き出して使用し、調理後は調理台に収納できる。
又、レンジフード本体は可撓性材で板状に形成されているため、レンジの上方へ引き出すと、レンジフード本体が可撓性を有することにより、自ずと撓んで湾曲し、レンジの後方からレンジの上方を覆う。
又、レンジフード本体は一枚板でシンプルな構成のため、出し入れが容易であると共に収納スペースも少なくて済み、かつ引き抜いて清掃ができる。
更に、レンジフード本体が吸引作用を有する吸煙口に設けられるため、吸引能力に優れる。
【０００９】
次に、請求項３記載の本発明レンジフードは、請求項１又は２のレンジフードにおいて、レンジフード本体の上部に錘が設けられていることを特徴とするものである。
【００１０】
このような構成とすることにより、レンジフード本体の素材の可撓性に加え、撓みを強制的に与えることができ、集煙し易い形状に十分に撓ますことが可能となる。
【００１１】
次に、請求項４記載の本発明レンジフードは、請求項２又は３のレンジフードにおいて、レンジフード本体の引き出し時に、レンジフード本体が係止手段により調理台上に固定されることを特徴とするものである。
【００１２】
このような構成とすることにより、レンジフード本体は引っ込むことがなく、安定した状態で設置される。
【００１３】
次に、請求項５記載の本発明レンジフードは、請求項２から４のいずれかに記載のレンジフードにおいて、レンジフード本体は引き出し調節可能に設けられていることを特徴とするものである。
【００１４】
このような構成とすることにより、レンジフード本体の撓み具合とレンジフード本体の引き出し長さを調整して効率よく吸引することができる。
【００１５】
次に、請求項６記載の本発明レンジフードは、請求項２から５のいずれかに記載のレンジフードにおいて、レンジフード本体の上部に取っ手が設けられていることを特徴とするものである。
【００１６】
このような構成とすることにより、取っ手を持ってレンジフード本体を引き出せるので便利である。
【発明の効果】
【００１７】
本発明のレンジフードによれば、レンジフード本体は可撓性を有する板状でシンプルな構成のため、曲加工を施さずにレンジの後方からレンジの上方を覆う形状に自ら湾曲、或いは錘の重量により湾曲するため、製作も容易であると共に清掃も容易である。
【００１８】
又、レンジフード本体を調理時にのみ引き出して使用し、調理後は調理台に収納しておけば、調理台上の視界を遮るものがないので開放的なキッチンとなると共に、対面式キッチンに設けることでレンジフード本体の不使用時は全体が対面可能な好適なキッチンとして利用できる。
又、収納可能なレンジフード本体を壁付キッチンに設けることで、レンジ部上方まで吊戸棚を連続して設けることができる。
又、レンジ本体は板状でシンプルな構成のため、出し入れが容易であると共に、引き抜いて洗浄等ができ清掃の作業性が良い。
【００１９】
又、レンジフード本体は吸引作用を有する吸煙口から引き出されて使用するため、空気の流れがスムーズであり、吸引能力に優れたものとなる。
【００２０】
更に、レンジフード本体は引き出し調節可能であるため、レンジの後方からレンジの上方を覆う撓み具合や上方を覆う範囲を調節できる。
【発明を実施するための最良の形態】
【００２１】
調理時にのみ調理台上にレンジフードを設置し、不使用時は調理台に収納するという目的をシンプルな構成で実現した。
【００２２】
以下、本発明の一実施の形態を図面に基づき説明する。
図１は、本発明レンジフードを調理台から引き出した時の斜視図、図２はレンジフードを調理台に収納した時の斜視図、図３はレンジフードを調理台から引き出した時の断面図、図４はレンジフードを調理台に収納したときの断面図、図５はレンジフードを調理台に収納した時の部分拡大断面図、図６及び図７は本発明レンジフードを固定した場合の断面図である。
【００２３】
図中１は加熱調理するテーブル、カウンター等の横長の調理台であり、この調理台１に加熱用のこんろ２を有するレンジ３が設置されている。
４はレンジ３の後方で調理台１の天板５に、レンジ３の横方向の長さいっぱいに亘って設けた横長の方形の吸煙口である。
【００２４】
この吸煙口４と連通して、天板５の下方に箱形のチャンバー６が設けられ、チャンバー６内の下方にオイルフィルター７が横設されている。
又、チャンバー６の前面に開閉扉８が設けられ、この開閉扉８を開くことにより、内部の点検及びオイルフィルター７の交換等を行う。
【００２５】
又、チャンバー６の下部に排気管９が接続され、この排気管９は床下等に設置された吸引用排気ファン（図示せず）に接続され、この吸引用排気ファンにより吸引された排煙はキッチンから外部へ排気される。
【００２６】
１０は吸煙口４に嵌着した方形の筒体であり、この筒体１０の上端の周囲に９０°外方へ屈曲した係止片１０ａが形成され、この係止片１０ａが天板５の上面に引っ掛かり、筒体１０が支持されている。
尚、天板５の上面に化粧板１１が貼着されている時は、係止片１０ａは化粧板１１の上面に引っ掛かる。そして、筒体１０の下方はチャンバー６内の上方へ突入されている。
【００２７】
１２は吸煙口４に設置されるレンジフード本体であり、このレンジフード本体１２はステンレス鋼板等の薄い可撓性を有する方形の金属製の板体から成り、レンジフード本体１２の使用時に裏側となる面の上端部に横方向に鋼材製の丸棒状の錘１３が固設されている。錘１３の重さはレンジフード本体１を引き出した時、レンジ３の後方からレンジ３の上方を覆うように撓むレンジフード本体１２の撓み具合により決定される。
この錘１３はレンジフード本体１２の両側に突出し、この突出部が筒体１０の両側の上端部に引っ掛かる長さに形成されている。
又、レンジフード本体１２の縦の長さは、レンジフード本体１２が引き出された時に、レンジ３の後方からレンジ３の上方を十分に覆うことができる長さとなっている。又横の長さもレンジ３の横の長さがあればよい。
【００２８】
そして、レンジフード本体１２は下端から吸煙口４に設けた筒体１０内を通りチャンバー６内に収納され、錘１３が筒体１０の後方側（レンジ部３と反対側）の係止片１０ａ上に載置することによりレンジフード本体１２は吊設され、レンジフード本体１２の上方の裏面は筒体１０の内側の後壁１０ｂに当接している。
又、レンジフード本体１２の上端部の中央部にリング状の取っ手１４が固着されている。又、レンジフード本体１２の下部の中央部に上下方向に数個の孔１５が穿設されている。このレンジフード本体１２は板状であるため、取っ手１４を持ち、上方へ引き出し、そのまま引き抜くことが可能となっている。
【００２９】
１６は丸棒状の錘１３と同一素材で、同一サイズの形状に形成されたフード当たりであり、錘１３に近接して錘１３と平行に筒体１０の両側の上端部間に固設され、レンジフード本体１２が筒体１０内に落ちないようになっていると共に、レンジフード本体１２の引き出し時及び収納時に隙間が規制され、レンジフード本体１２のスライド中にガタつきが生じないようになっている。
【００３０】
そして、レンジフード本体１２を取っ手１４を持って引き出した時に、レンジフード本体１２が撓んでレンジ３の後方からレンジ３の上方を覆うように湾曲するので、レンジフード本体１２の下方部の前面側がフード当たり１６に接触することにより、レンジフード本体１２の下端部はてこの作用で筒体１０の内側の後壁１０ｂに圧接し、レンジフード本体１２が落下するのを防止している。
【００３１】
又、レンジ３の後方で吸煙口４に設けた筒体１０の前方側の係止片１０ａ上の中央部に後方に向け短管１７が水平に固設され、この短管１７に係止ピン１８がスライド可能に挿通されている。
この係止ピン１８はレンジフード本体１２を引き出した時に、レンジフード本体１２の下方の孔１５に貫通し、レンジフード本体１２を吸煙口４に固定する係止手段を構成している。
レンジフード本体１０の引き出しの長さの調整は、列設している孔１５の選択で決定される。
【００３２】
次に、図６及び図７はレンジフード本体を固定した場合の断面図を示し、図１乃至図５と相当する箇所にはそれと同一符号を付してある。
図６はレンジフード本体１２が吸煙口４の後方側の壁面に熔接等により一体に固定した場合を示している。
又、図７はレンジフード本体１２が吸煙口４の後方側の縁部で調理台５上に熔接等により一体に固定した場合を示している。
尚、レンジフード本体１２の固定方法はかかる構成に限定されるものではない。
【００３３】
以上、本発明を実施形態に基づき具体的に説明したが、本発明は上記実施形態に限定されるものではなく、例えば、レンジフード本体１２の撓み具合が良ければ錘１３は不要或いは一部に付設するだけでよく、又錘１３の形状も自由で、或いは錘１３を別に設けずにレンジフード本体１２の上端を数重に折曲し錘１３に変えることもできる。又重量の重い取っ手１４を付けて錘１３に代えることもできる。
これ等の場合、レンジフード本体１２の上部にチャンバー６内への落下防止用のストッパーを設けておくこともできる。
又、係止手段も上記の形態に限定されるものではないことは勿論である。
【図面の簡単な説明】
【００３４】
【図１】本発明レンジフードの使用時の斜視図である。
【図２】本発明レンジフードの収納時の斜視図である。
【図３】本発明レンジフードの使用時の断面図である。
【図４】本発明レンジフードの収納時の断面図である。
【図５】本発明レンジフードの収納時の部分拡大断面図である。
【図６】本発明レンジフードを固定した場合の断面図である。
【図７】本発明レンジフードを固定した場合の断面図である。
【符号の説明】
【００３５】
１  調理台
２  こんろ
３  レンジ
４  吸煙口
５  天板
６  チャンバー
７  オイルフィルター
８  開閉扉
９  排気管
１０  筒体
１０ａ  筒体の係止片
１０ｂ  筒体の後壁
１１  化粧板
１２  レンジフード本体
１３  錘
１４  取っ手
１５  孔
１６  フード当たり
１７  短管
１８  係止ピン
【図１】
2005030728.tif 000003
【図２】
2005030728.tif 000004
【図３】
2005030728.tif 000005
【図４】
2005030728.tif 000006
【図５】
2005030728.tif 000007
【図６】
2005030728.tif 000008
【図７】
2005030728.tif 000009